(57)【要約】【課題】ビデオ装置を初期設定する信号を外部設定装置からビデオ装置に送出することにより、複数の仕様に対応したビデオ装置を所定の仕様に初期設定することができるようにする。【解決手段】外部チューナを制御する外部チューナ制御端子に外部設定装置からビデオ装置を初期設定する信号を送出して、外部設定装置から送出された信号を読み込み、読み込まれた信号の電圧レベルがハイレベルである時間とローレベルである時間とを計測して初期設定データを判別し、その判別結果を書き換え可能な不揮発性メモリに記憶して、ビデオ装置を初期設定するようにする。【選択図】　　　　図３
2004112592.tif 000002
【特許請求の範囲】
【請求項１】
外部チューナを制御する外部チューナ制御端子を有し、初期設定データに基づいて制御プログラムを実行するマイクロコンピュータを搭載したビデオ装置の初期設定方法において、前記外部チューナ制御端子に接続された、ビデオ装置を初期設定する信号を送出する外部設定手段と、ビデオ装置の初期設定を指令するリセット手段と、前記外部チューナ制御端子に入力された信号を読み込む読込手段と、前記読込手段により読み込まれた信号の電圧レベルと時間とを計測して初期設定データを判別する判別手段と、前記判別手段により判別された判別結果を記憶する書き換え可能な不揮発性メモリとを備え、前記リセット手段によりビデオ装置の初期設定が指令されたとき、前記外部チューナ端子に接続された前記外部設定手段から送出された信号を読み込み、読み込まれた信号の電圧レベルと時間とを計測して初期設定データを判別し、その判別結果を前記不揮発性メモリに記憶するようにしたことを特徴とするビデオ装置の初期設定方法。
【請求項２】
外部チューナを制御する外部チューナ制御端子を有し、初期設定データに基づいて制御プログラムを実行するマイクロコンピュータを搭載したビデオ装置の初期設定方法において、前記外部チューナ制御端子に接続された、ビデオ装置を初期設定する信号を送出する外部設定手段と、初期設定を指令するリセット手段と、前記外部チューナ制御端子に入力された信号を読み込む読込手段と、前記読込手段により読み込まれた信号に基づいて初期設定データを判別する判別手段と、前記判別手段により判別された判別結果を記憶する記憶手段とを備え、前記リセット手段によりビデオ装置の初期設定が指令されたとき、前記外部チューナ端子に接続された前記外部設定手段から送出された信号を読み込み、読み込まれた信号に基づいて初期設定データを判別し、その判別結果を前記記憶手段に記憶するようにしたことを特徴とするビデオ装置の初期設定方法。
【請求項３】
前記判別手段は、信号の電圧レベルと時間とを計測して初期設定データを判別する判別手段であることを特徴とする請求項２記載のビデオ装置の初期設定方法。
【請求項４】
前記読込手段及び前記判別手段は、マイクロコンピュータであることを特徴とする請求項２記載のビデオ装置の初期設定方法。
【請求項５】
前記記憶手段は、書き換え可能な不揮発性メモリであることを特徴とする請求項２記載のビデオ装置の初期設定方法。
【発明の詳細な説明】
【０００１】
【発明の属する技術分野】本発明は、マイクロコンピュータ（以下、マイコンと呼ぶ）を搭載したビデオ装置に係り、特に複数の仕様に対応したビデオ装置を所定の仕様に初期設定するビデオ装置の初期設定方法に関する。
【０００２】
【従来の技術】一般に、複数の仕様に対応したビデオ装置を所定の仕様に初期設定する方法としては、例えば、マイコンの入力ポートに接続された複数のプルアップ抵抗、プルダウン抵抗の接続状態、或いはマイコンの入力ポートに接続された複数のプリセットスイッチのＯＮ／ＯＦＦ状態を読み出して、制御プログラムを初期設定し、ビデオ装置を所定の仕様に初期設定するようにしたものがある。しかし、プルアップ抵抗、プルダウン抵抗によりビデオ装置の仕様を設定するようにした場合、ビデオ装置の仕様を変更するためには、それらの抵抗の接続状態を変更しなければならないという問題点があった。また、複数のプリセットスイッチによりビデオ装置の仕様を設定するようにした場合、ビデオ装置の仕様を容易に変更することができたが、マイコンの入力ポートに接続されたプリセットスイッチのＯＮ／ＯＦＦの設定に誤りがあると、ビデオ装置が異なった仕様に設定されるという問題点があった。
【０００３】プログラムを実行することによりビデオ装置等の電子装置を初期設定する従来の技術としては、マイコンの入出力ポートに接続される周辺デバイスの接続端子数を識別する識別プログラムに従って、周辺デバイスが接続される入出力ポートに信号を出力して、周辺デバイスから出力される信号を受信し、入出力ポートに出力した信号と周辺デバイスから受信した信号とを比較することにより、周辺デバイスの接続の有無と入出力ポートに接続された周辺デバイスの接続端子数とを識別して、入出力ポートに接続された周辺デバイスの接続端子数に対応した制御プログラムを選択して実行するようにしたものがあった（例えば、特許文献１参照）。
【０００４】
【特許文献１】特開平９−２９３０４０号公報
【０００５】
【発明が解決しようとする課題】しかしながら、上記従来の技術は、マイコンの入出力ポートに接続される周辺デバイスの接続端子数を識別する識別プログラムに従って、周辺デバイスが接続される入出力ポートに信号を出力して、周辺デバイスから出力される信号を受信し、入出力ポートに出力した信号と周辺デバイスから受信した信号とを比較することにより、周辺デバイスの接続の有無と入出力ポートに接続された周辺デバイスの接続端子数とを識別して、入出力ポートに接続された周辺デバイスの接続端子数に対応した制御プログラムを選択して実行することができたが、マイコンからの信号に応答してマイコンへ信号を出力しない周辺デバイスが接続されている場合、それらの周辺デバイスを識別することができないという問題点があった。そのため、この技術を用いても、複数の仕様に対応したビデオ装置を所定の仕様に初期設定することができなかった。
【０００６】本発明は、従来の技術の有するこのような問題点に鑑みてなされたものであり、その目的とするところは、ビデオ装置を初期設定する信号を外部設定装置からビデオ装置に送出することにより、複数の仕様に対応したビデオ装置を所定の仕様に初期設定することができるビデオ装置の初期設定方法を提供しようとするものである。
【０００７】
【課題を解決するための手段】上記目的を達成するため本発明においては、外部チューナを制御する外部チューナ制御端子を有し、初期設定データに基づいて制御プログラムを実行するマイクロコンピュータを搭載したビデオ装置の初期設定方法において、前記外部チューナ制御端子に接続された、ビデオ装置を初期設定する信号を送出する外部設定手段と、ビデオ装置の初期設定を指令するリセット手段と、前記外部チューナ制御端子に入力された信号を読み込む読込手段と、前記読込手段により読み込まれた信号に基づいて初期設定データを判別する判別手段と、前記判別手段により判別された判別結果を記憶する記憶手段とを備え、前記リセット手段によりビデオ装置の初期設定が指令されたとき、前記外部チューナ端子に接続された前記外部設定手段から送出された信号を読み込み、読み込まれた信号に基づいて初期設定データを判別し、その判別結果を前記記憶手段に記憶するようにする。
【０００８】前記判別手段は、信号の電圧レベルと時間とを計測して初期設定データを判別するようにするとよい。信号の電圧レベルがハイレベルである時間とローレベルである時間とを計測して初期設定データを判別することができる。
【０００９】また、前記読込手段及び前記判別手段は、マイクロコンピュータで構成しても上記目的を達成することができる。
【００１０】また、前記記憶手段は、書き換え可能な不揮発性メモリとするとよい。制御プログラムの初期設定情報を書き換え可能な不揮発性メモリに記憶することにより、ビデオ装置の電源ＯＦＦ時に、制御プログラムの初期設定情報を保持することができる。
【００１１】これらの手段により、ビデオ装置を初期設定する信号を外部設定装置からビデオ装置に送出することにより、複数の仕様に対応したビデオ装置を所定の仕様に初期設定することができる。
【００１２】
【発明の実施の形態】以下、適宜図面を参照しながら本発明の実施の形態を詳述する。図１は本発明の実施の形態に係るビデオ装置の構成を示すブロック図であり、図２は本発明の実施の形態に係るビデオ装置の初期設定方法におけるビデオ装置を初期設定する信号を示す図であり、図３は本発明の実施の形態に係るビデオ装置の初期設定方法を示すフローチャートである。
【００１３】まず、図１の本発明の実施の形態に係るビデオ装置の構成を示すブロック図を基に説明する。
【００１４】ビデオ装置１は、アンテナ２によって受信された電波から選択されたチャンネルのテレビ放送を受信するチューナ３と、映像音声信号の録画と再生とを行う録画再生部４と、文字情報信号を映像信号に重畳して、モニタ装置２０の画面に文字情報を表示するＯＳＤ（Ｏｎ−Ｓｃｒｅｅｎ　ＣｈａｒａｃｔｅｒＤｉｓｐｌａｙ）回路５と、複数の仕様に対応した制御プログラムが格納されたＲＯＭ（Ｒｅａｄ−Ｏｎｌｙ　Ｍｅｍｏｒｙ）６ａとデータを一時的に記憶するＲＡＭ（Ｒａｎｄｏｍ　Ａｃｃｅｓｓ　Ｍｅｍｏｒｙ）６ｂとを内蔵したマイコン６と、時間を計時するタイマ回路７と、制御プログラムの初期設定データを記憶する書き換え可能な不揮発性メモリであるＥＥＰＲＯＭ（Ｅｌｅｃｔｒｉｃａｌｌｙ　Ｅｒａｓａｂｌｅ　ａｎｄ　Ｐｒｏｇｒａｍｍａｂｌｅ　Ｒｅａｄ−Ｏｎｌｙ　Ｍｅｍｏｒｙ）８と、ビデオ装置１の初期設定を指令するリセットスイッチ９と、ビデオ装置１のテストモードの実行を指令するテストモードスイッチ１０と、衛星放送等を受信する外部チューナ（図示せず）を制御する外部チューナ制御端子１１とで構成されている。そして、ビデオ装置１を初期設定するため、外部チューナ制御端子１１には、複数の仕様に対応したビデオ装置１を所定の仕様に初期設定する信号を送出する外部設定装置３０が接続されている。
【００１５】以上のように構成されたビデオ装置の初期設定方法について、以下その動作について説明する。
【００１６】ビデオ装置１の初期設定を指令するリセットスイッチ９が操作されると、マイコン６は、外部チューナ制御端子１１に接続された外部設定装置３０から送出されたビデオ装置１を所定の仕様に初期設定する信号を読み込むために、外部チューナ制御端子１１が接続された入出力ポートを入力ポートに設定する。マイコン６は、タイマ回路７に制御信号を送出して、外部チューナ制御端子１１の入力ポート設定時間の計時を開始し、外部チューナ制御端子１１が接続された入出力ポートの入力ポート設定時間が５００ｍｓ経過した場合、外部チューナ端子が接続された入出力ポートを出力ポートに戻し、外部チューナを制御する制御信号を外部チューナ制御端子から送出できるようにしている。
【００１７】マイコン６は、外部チューナ制御端子１１に接続された外部設定装置３０から送出された信号を読み込み、読み込んだ信号の電圧レベルがハイレベルである時間とローレベルである時間とを計測して初期設定データを判別する。
【００１８】例えば、図２（ａ）に示すように、外部設定装置３０から送出された信号が「１１００」の繰り返しである場合、ビデオ装置の仕様のテレビ放送方式システムがＢＧモードであり、磁気ヘッド数が４ヘッドであり、ＬＥＤ表示が７セグメントＬＥＤ時計表示であると判別して、ビデオ装置を初期設定する制御プログラムの初期設定データをＥＥＰＲＯＭ８に記憶する。また、例えば、図２（ｂ）に示すように、外部設定装置３０から送出された信号が「１１０００」の繰り返しである場合、ビデオ装置の仕様のテレビ放送方式システムがＢＧモードであり、磁気ヘッド数が４ヘッドであり、ＬＥＤ表示がＬＥＤドット表示であると判別して、ビデオ装置を初期設定する制御プログラムの初期設定データをＥＥＰＲＯＭ８に記憶する。また、例えば、図２（ｃ）に示すように、外部設定装置３０から送出された信号が「１１０」の繰り返しである場合、ビデオ装置の仕様のテレビ放送方式システムがＢＧ／ＤＫモードであり、磁気ヘッド数が４ヘッドであり、ＬＥＤ表示が７セグメントＬＥＤ時計表示であると判別して、ビデオ装置を初期設定する制御プログラムの初期設定データをＥＥＰＲＯＭ８に記憶する。
【００１９】また、テストモードスイッチ１０を操作することにより、ＥＥＰＲＯＭ８に記憶されている初期設定データをモニタ装置２０の画面に表示し、ＥＥＰＲＯＭに記憶されている初期設定データに基づいてビデオ装置１テストモードを実行して、外部設定装置３０から送出された信号により、初期設定されたビデオ装置１の動作を確認することができるようになっている。
【００２０】また、図３の本発明の実施の形態に係るビデオ装置の初期設定方法を示すフローチャートを基に説明する。
【００２１】ビデオ装置の初期設定を指令するリセットスイッチが操作されると、ステップＳ１からステップＳ２に進み、外部チューナ制御端子が接続されたマイコンの入出力ポートが入力ポートに設定され、タイマがスタートされて外部チューナ制御端子が接続されたマイコンの入出力ポートの入力ポート設定時間の計時が開始され、ステップＳ３に進む。
【００２２】ステップＳ３で、外部チューナ制御端子に接続された外部設定装置から送出された信号が読み込まれ、ステップＳ４に進む。
【００２３】ステップＳ４で、外部設定装置から送出された信号の読み込みが完了したか否かが判断され、外部設定装置から送出された信号の読み込みが完了した場合、ステップＳ６に進み、外部設定装置から送出された信号の読み込みが完了していない場合、ステップＳ５に進む。
【００２４】ステップＳ５で、外部チューナ制御端子が接続されたマイコンの入出力ポートの入力ポート設定時間が５００ｍｓ経過したか否かが判断され、入力ポート設定時間が５００ｍｓ経過した場合、ステップＳ７に進み、入力ポート設定時間が５００ｍｓ経過していない場合、ステップＳ３に戻って、ステップＳ３からステップＳ５のステップを繰り返す。
【００２５】ステップＳ６で、外部チューナ端子に接続された外部設定装置から送出された信号の電圧レベルと時間とが計測されて初期設定データが判別され、判別された初期設定データがＥＥＰＲＯＭに記憶されて、ステップＳ７に進む。
【００２６】ステップＳ７で、外部チューナ制御端子が接続されたマイコンの入出力ポートが出力ポートに戻され、ステップＳ８に進む。
【００２７】ステップＳ８で、ビデオ装置のテストモードの実行を指令するテストモードスイッチが操作されたか否かが判断され、テストモードスイッチが操作された場合、ステップＳ９に進み、テストモードスイッチが操作されていない場合、ステップＳ１０に進んでメインプログラム（図示せず）に戻る。
【００２８】ステップＳ９で、ＥＥＰＲＯＭに記憶されている初期設定データがモニタ装置の画面に表示され、ＥＥＰＲＯＭに記憶されている初期設定データに基づいてビデオ装置のテストモードが実行されて、ステップＳ１０に進んでメインプログラムに戻る。
【００２９】以上、本発明の実施の形態について詳述したが、本発明はこれに限らず、当業者の通常の知識の範囲内でその変形や改良が可能である。例えば、ビデオ装置の仕様に対応した所定の信号を外部設定装置からビデオ装置の外部チューナ制御端子に送出して、ビデオ装置を所定の仕様に初期設定することを説明したが、テレビ放送方式システム、磁気ヘッド数、ＬＥＤ表示等の各仕様毎のビット信号を外部設定装置からビデオ装置の外部チューナ制御端子に送出して、ビデオ装置を所定の仕様に初期設定するようにしてもよい。例えば、テレビ放送方式システムを３ビット、磁気ヘッド数を２ビット、ＬＥＤ表示を３ビットとして各仕様毎のビット信号を外部設定装置からビデオ装置の外部チューナ制御端子に送出して、ビデオ装置を所定の仕様に初期設定するようにしてもよい。
【００３０】
【発明の効果】以上説明してきたように、本発明によるビデオ装置の初期設定方法によれば、外部設定装置からビデオ装置を初期設定する信号を外部チューナ制御端子に送出して、外部設定装置から送出された信号を読み込み、読み込まれた信号の電圧レベルがハイレベルである時間とローレベルである時間とを計測して初期設定データを判別し、その判別結果を書き換え可能な不揮発性メモリに記憶して、ビデオ装置を所定の仕様に初期設定することができる。このことにより、ビデオ装置を初期設定する信号を外部設定装置からビデオ装置に送出することにより、複数の仕様に対応したビデオ装置を所定の仕様に初期設定することができる。
【００３１】請求項１記載の発明に係るビデオ装置の初期設定方法は、ビデオ装置の初期設定が指令されたとき、外部チューナ端子に接続された外部設定手段から送出された信号を読み込み、読み込まれた信号の電圧レベルと時間とを計測して初期設定データを判別し、その判別結果を不揮発性メモリに記憶するようにしている。
【００３２】請求項２記載の発明に係るビデオ装置の初期設定方法は、ビデオ装置の初期設定が指令されたとき、外部チューナ端子に接続された外部設定手段から送出された信号を読み込み、読み込まれた信号に基づいて初期設定データを判別し、その判別結果を記憶手段に記憶するようにしている。
【００３３】請求項３記載の発明に係るビデオ装置の初期設定方法は、外部設定装置から送出された信号の電圧レベルと時間とを計測して初期設定データを判別するようにしている。
【００３４】請求項４記載の発明に係るビデオ装置の初期設定方法は、マイクロコンピュータにより、外部設定装置から送出された信号を詠み込み、読み込まれた信号を判別するようにしている。
【００３５】請求項５記載の発明に係るビデオ装置の初期設定方法は、初期設定データを書き換え可能な不揮発性メモリに記憶するようにしている。
【図面の簡単な説明】
【図１】本発明の実施の形態に係るビデオ装置の構成を示すブロック図である。
【図２】本発明の実施の形態に係るビデオ装置の初期設定方法におけるビデオ装置を初期設定する信号を示す図である。
【図３】本発明の実施の形態に係るビデオ装置の初期設定方法を示すフローチャートである。
【符号の説明】
１　ビデオ装置
２　アンテナ
３　チューナ
４　録画再生部
５　ＯＳＤ回路
６　マイコン
６ａ　ＲＯＭ
６ｂ　ＲＡＭ
７　タイマ回路
８　ＥＥＰＲＯＭ
９　リセットスイッチ
１０　テストモードスイッチ
１１　外部チューナ制御端子
２０　モニタ装置
３０　外部設定装置
【図１】
2004112592.tif 000003
【図２】
2004112592.tif 000004
【図３】
2004112592.tif 000005